(57)【要約】【課題】蓄熱材収容体を圧縮機に取り付ける際に蓄熱材収容体が脱落することなく、しかも蓄熱材収容体を圧縮機の側面に宛がって形状を保ち、蓄熱材の確実な吸熱と放熱の可能な空気調和機を提案する。【解決手段】空気調和機１は、円筒形状のケース５５を有して冷凍サイクルに流通される冷媒を圧縮する圧縮機４１と、蓄熱材５６を包み込んでケース５５の側面に弧状に巻き付けられる蓄熱材収容体５７と、蓄熱材収容体５７を圧縮機４１に固定する固定部５８と、蓄熱材収容体５７のうちケース５５に沿って弧状に延びる２つの辺部６１、６２のそれぞれを保持してケース５５の形状に合わせて蓄熱材収容体５７の形状を保つ保形枠体６３と、を備えている。【選択図】  図３
2016048122.tif 000002
【特許請求の範囲】
【請求項１】
円筒形状のケースを有して冷凍サイクルに流通される冷媒を圧縮する圧縮機と、
蓄熱材を包み込んで前記ケースの側面に弧状に巻き付けられる蓄熱材収容体と、
前記蓄熱材収容体を前記圧縮機に固定する固定部と、
前記蓄熱材収容体のうち前記ケースに沿って弧状に延びる２つの辺部のそれぞれを保持して前記ケースの形状に合わせて前記蓄熱材収容体の形状を保つ保形枠体と、を備える空気調和機。
【請求項２】
前記保形枠体は、前記蓄熱材収容体よりも高い剛性を有する請求項１に記載の空気調和機。
【請求項３】
前記保形枠体は、前記蓄熱材収容体のうち前記ケースに沿って弧状に延びる２つの辺部の一方を着脱自在に挟み込む第一保形枠と、前記蓄熱材収容体のうち前記ケースに沿って弧状に延びる２つの辺部の他方を着脱自在に挟み込む第二保形枠と、前記蓄熱材収容体を跨いで前記第一保形枠および前記第二保形枠を分離可能に連結して一体化させる連結部と、を備える請求項１または２に記載の空気調和機。
【請求項４】
前記第一保形枠と前記蓄熱材収容体、および前記第二保形枠と前記蓄熱材収容体のそれぞれは、相互に嵌め合わされるフック部を備え、
前記連結部は、前記蓄熱材収容体から遠ざかるほど広がるテーパ形状の側面対を有する一対の凹部を備え、
前記第一保形枠および前記第二保形枠のぞれぞれは、前記蓄熱材収容体から遠ざかるほど広がるテーパ形状の側面対を有して前記凹部に楔状に嵌め込まれる凸部を備える請求項１から３のいずれか１項に記載の空気調和機。
【請求項５】
前記凹部の底部には、拡張溝部が設けられ、
前記凸部の頂部には、前記拡張溝部に嵌め込まれる拡張部が設けられる請求項１から４のいずれか１項に記載の空気調和機。
【請求項６】
前記第一保形枠および前記第二保形枠の少なくとも一方に設けられて、前記ケースの側面に沿って前記ケースの半周より長く延びる延長部を備える請求項１から５のいずれか１項に記載の空気調和機。
【発明の詳細な説明】
【技術分野】
【０００１】
本発明に係る実施形態は、空気調和機に関する。
【背景技術】
【０００２】
柔軟な袋状の容器に収容された蓄熱材の相変化に拘わらず、蓄熱材の厚みが重力方向に均一にするために、蓄熱材を包み込む蓄熱材収容体を熱交換側の反対側から支持する基部と、基部から蓄熱材収容体の熱交換側に突出されて蓄熱材収容体を下方から支持する下側支持部と、を有する支持部材を備える空気調和機が知られている。
【先行技術文献】
【特許文献】
【０００３】
【特許文献１】特開２０１４−１０２０３９号公報
【発明の概要】
【発明が解決しようとする課題】
【０００４】
従来の空気調和機は、半円弧状の一対の支持部材を蝶番で連結し、圧縮機の周囲に巻き付けられた蓄熱材収容体を一対の支持部材で囲い込み、蝶番から遠い側にある一対の支持部材それぞれの端部をコイルバネで相互に引き付け、この状態で蓄熱材収容体を保持している。
【０００５】
この従来の空気調和機では、コイルバネで一対の支持部材それぞれの端部を連結する際に、蓄熱材収容体が固定されていないため、蓄熱材収容体が落下してしまう場合があった。
【０００６】
そこで、本発明は、蓄熱材収容体を圧縮機に取り付ける際に蓄熱材収容体が脱落することなく、しかも蓄熱材収容体を圧縮機の側面に宛がって形状を保ち、蓄熱材の確実な吸熱と放熱の可能な空気調和機を提案する。
【課題を解決するための手段】
【０００７】
前記の課題を解決するため本発明の実施形態に係る空気調和機は、円筒形状のケースを有して冷凍サイクルに流通される冷媒を圧縮する圧縮機と、蓄熱材を包み込んで前記ケースの側面に弧状に巻き付けられる蓄熱材収容体と、前記蓄熱材収容体を前記圧縮機に固定する固定部と、前記蓄熱材収容体のうち前記ケースに沿って弧状に延びる２つの辺部のそれぞれを保持して前記ケースの形状に合わせて前記蓄熱材収容体の形状を保つ保形枠体と、を備えている。
【図面の簡単な説明】
【０００８】
【図１】本発明の実施形態に係る空気調和機を示すブロック図。
【図２】本発明の実施形態に係る空気調和機の要部を概略的に示す斜視図。
【図３】本発明の実施形態に係る空気調和機の保形枠体と蓄熱材収容体とを概略的に示す斜視図。
【図４】本発明の実施形態に係る空気調和機の保形枠体を示す平面図。
【図５】本発明の実施形態に係る空気調和機の保形枠体を示す正面図。
【図６】本発明の実施形態に係る空気調和機の保形枠体を示す側面図。
【図７】本発明の実施形態に係る空気調和機の第一保形枠を示す正面図。
【図８】本発明の実施形態に係る空気調和機の第一保形枠を示す側面図。
【図９】本発明の実施形態に係る空気調和機の第一保形枠を示す底面図。
【図１０】本発明の実施形態に係る空気調和機の連結部を示す平面図。
【図１１】本発明の実施形態に係る空気調和機の連結部を示す正面図。
【図１２】本発明の実施形態に係る空気調和機の連結部を示す側面図。
【図１３】本発明の実施形態に係る空気調和機の保形枠体を示す縦断面図。
【図１４】本発明の実施形態に係る空気調和機の保形枠体の他の例を概略的に示す斜視図。
【発明を実施するための形態】
【０００９】
本発明に係る空気調和機の実施形態について、図１から図１４を参照して説明する。
【００１０】
図１は、本発明の実施形態に係る空気調和機を示すブロック図である。
【００１１】
図１に示すように、本実施形態に係る空気調和機１は、空調対象室の壁面Ｗに設置される室内機２と、屋外に設置される室外機３と、入力装置としてのリモートコントローラ５（以下、単に「リモコン５」という。）と、を備えている。
【００１２】
室内機２は、空調対象室内の空気との間で熱交換を行う室内熱交換器１１と、空調対象室内の空気を流動させる室内ファン１２と、室内ファン１２を駆動させるモータ１３と、モータ１３の駆動を制御する室内ファン駆動部１４と、室内ファン１２から吹き出される空気の上下方向の風向を決めるルーバ１５と、ルーバ１５を駆動させるモータ１６と、モータ１６の駆動を制御するルーバ駆動部１７と、空調対象室内の温度を検知する室内温度センサ２２と、リモコン５から送られる赤外線を読み取る受光部２３と、音声発生部２６と、スピーカ２７と、ＥＥＰＲＯＭ２８と、ＲＯＭ２９と、ＲＡＭ３１と、室内制御部３２と、を備えている。
【００１３】
室外機３は、圧縮機４１と、四方弁４２と、外気との間で熱交換を行う室外熱交換器４３と、膨張弁４５と、室外ファン４６と、室外制御部４７と、を備えている。
【００１４】
冷房時には、図１中に実線矢印で示すように、圧縮機４１から吐出される冷媒は、四方弁４２を介して室外熱交換器４３へ案内される。室外熱交換器４３から流出する冷媒は、膨張弁４５、室内熱交換器１１を通って、再び四方弁４２を介して圧縮機４１へ吸い込まれる。この冷媒の実線矢印の流路（以下、単に「冷房流路」という。）によって、室外熱交換器４３は凝縮器として機能し、室内熱交換器１１は蒸発器として機能する。
【００１５】
一方、暖房時には、図１中に破線矢印で示すように、圧縮機４１から吐出される冷媒は、四方弁４２を介して室内熱交換器１１へ案内される。室内熱交換器１１から流出する冷媒は、膨張弁４５、室外熱交換器４３を通って、再び四方弁４２を介して圧縮機４１へ吸い込まれる。この冷媒の破線矢印の流路（以下、単に「暖房流路」という。）によって、室内熱交換器１１は凝縮器として機能し、室外熱交換器４３は蒸発器として機能する。
【００１６】
これら冷媒の流通する冷房経路および暖房経路は、空気調和機１の冷凍サイクルである。
【００１７】
室外ファン４６は、室外熱交換器４３の下流側に配置されている。運転によって、室外ファン４６は、室外熱交換器４３側から熱交換後の外気を吸い込み、室外機３外へ吹き出す。
【００１８】
室内ファン１２は、室内熱交換器１１の下流側に配置されている。運転によって、室内熱交換器１１側から熱交換後の空調対象室内の空気を吸い込み、ルーバ１５を経て室内機２外へ吹き出す。室内温度センサ２２は、室内熱交換器１１よりも上流側に設けられている。室内温度センサ２２は、室内機２に吸い込まれる空気の温度を検知する。
【００１９】
室内ファン駆動部１４は、室内制御部３２が出力する運転信号に従ってモータ１３を駆動させる。駆動するモータ１３は、室内ファン１２を回転させて空調対象室内へ送風する。
【００２０】
ルーバ駆動部１７は、室内制御部３２が出力する運転信号に従ってモータ１６を駆動させる。駆動するモータ１６は、ルーバ１５を所定の角度範囲で回転させて、上下方向の風向を制御する。
【００２１】
ＲＯＭ２９は、書き換え不可能な記憶媒体であって、制御プログラムを記憶している。
【００２２】
ＥＥＰＲＯＭ２８は、書き換え可能な記憶媒体であって、運転条件を記憶している。
【００２３】
ＲＡＭ３１は、各種情報を一時的に記憶する。
【００２４】
音声発生部２６は、室内制御部３２から送られる各種案内情報を音声信号に変換し、スピーカ２７から空調対象室に音声を発する。
【００２５】
室内制御部３２は、リモコン５から読み取る運転条件や、室内温度センサ２２から読み取る検知結果に基づいて、室外制御部４７と協働して空調運転を実行する。また、室内制御部３２は、検知器３３で検知される空調対象室内の人体の移動や存否に応じて空調運転を制御する。
【００２６】
室外制御部４７および室内制御部３２は、信号線５２によって相互に接続されている。
【００２７】
図２は、本発明の実施形態に係る空気調和機の要部を概略的に示す斜視図である。
【００２８】
図２に示すように、本実施形態に係る空気調和機１は、円筒形状のケース５５を有して冷凍サイクルに流通される冷媒を圧縮する圧縮機４１と、蓄熱材５６を包み込んでケース５５の側面に弧状に巻き付けられる蓄熱材収容体５７と、蓄熱材収容体５７を圧縮機４１に固定する固定部５８と、蓄熱材収容体５７のうちケース５５に沿って弧状に延びる２つの辺部６１、６２のそれぞれを保持してケース５５の形状に合わせて蓄熱材収容体５７の形状を保つ保形枠体６３と、を備えている。
【００２９】
先ず、圧縮機４１は、圧縮機本体６５と、圧縮機本体６５に流体的に接続されるアキュムレータ６６と、を備えている。圧縮機本体６５は、ガス冷媒を圧縮する。アキュムレータ６６は、ガス冷媒と液冷媒を分離する。
【００３０】
圧縮機本体６５は、密閉された円筒状のケース５５を有している。ケース５５内の下部には、圧縮機構部（図示省略）が収容されている。ケース５５内の上部には、電動機部（図示省略）が収容されている。圧縮機構部および電動機部は、ケース５５の中心線方向に延びる回転軸（図示省略）を介して連結されている。圧縮機構部は、電動機部が発生させる駆動力によって駆動される。
【００３１】
アキュムレータ６６は、圧縮機本体６５の圧縮機構部に吸込管６７を介して接続されている。アキュムレータ６６内に流入する冷媒は、アキュムレータ６６内でガス冷媒と液冷媒とに分離され、分離された低圧のガス冷媒が吸込管６７内を経て圧縮機構部に吸込まれる。
【００３２】
アキュムレータ６６も、密閉された円筒形状のケース６８を有している。ケース６８は、圧縮機本体６５のケース５５よりも小径で、軸方向にも短小である。アキュムレータ６６のケース６８は、圧縮機本体６５のケース５５と同じ方向、具体的には室外機３の上下方向へ延びている。アキュムレータ６６のケース６８の底面は、圧縮機本体６５のケース５５の底面よりも高く配置されている。
【００３３】
吸込管６７は、アキュムレータ６６のケース６８の底面から下方へ突出し、圧縮機本体６５のケース５５の側面に接続されている。
【００３４】
固定部５８は、蓄熱材収容体５７と圧縮機本体６５のケース５５との間に介在して蓄熱材収容体５７をケース５５に固定している。固定部５８は、例えば熱伝導性の良好な両面テープや、接着剤であり、膜状に拡がって蓄熱材収容体５７をケース５５に貼付している。
【００３５】
保形枠体６３は、蓄熱材収容体５７のうち圧縮機本体６５のケース５５に沿って弧状に延びる２つの辺部６１、６２の一方、つまり辺部６１を着脱自在に挟み込む第一保形枠７１と、蓄熱材収容体５７のうちケース５５に沿って弧状に延びる２つの辺部６１、６２の他方、つまり辺部６２を着脱自在に挟み込む第二保形枠７２と、蓄熱材収容体５７を跨いで第一保形枠７１および第二保形枠７２を分離可能に連結して一体化させる連結部７３と、を備えている。
【００３６】
次いで、保形枠体６３について詳細に説明する。
【００３７】
図３は、本発明の実施形態に係る空気調和機の保形枠体と蓄熱材収容体とを概略的に示す斜視図である。
【００３８】
図４は、本発明の実施形態に係る空気調和機の保形枠体を示す平面図である。
【００３９】
図５は、本発明の実施形態に係る空気調和機の保形枠体を示す正面図である。
【００４０】
図６は、本発明の実施形態に係る空気調和機の保形枠体を示す側面図である。
【００４１】
図７は、本発明の実施形態に係る空気調和機の第一保形枠を示す正面図である。
【００４２】
図８は、本発明の実施形態に係る空気調和機の第一保形枠を示す側面図である。
【００４３】
図９は、本発明の実施形態に係る空気調和機の第一保形枠を示す底面図である。
【００４４】
図１０は、本発明の実施形態に係る空気調和機の連結部を示す平面図である。
【００４５】
図１１は、本発明の実施形態に係る空気調和機の連結部を示す正面図である。
【００４６】
図１２は、本発明の実施形態に係る空気調和機の連結部を示す側面図である。
【００４７】
図１３は、本発明の実施形態に係る空気調和機の保形枠体を示す縦断面図である。
【００４８】
なお、第二保形枠７２は、第一保形枠７１と実質的に同じ構造を有しているため、単体の図示は省略する。
【００４９】
図２に加えて図３から図１３に示すように、本実施形態に係る空気調和機１の保形枠体６３は、蓄熱材収容体５７よりも高い剛性を有し、柔軟な蓄熱材収容体５７の形状を保って圧縮機本体６５のケース５５の外面に蓄熱材収容体５７を倣わせている。
【００５０】
ここで先ず、蓄熱材収容体５７は、可撓な袋状の容器６９と、容器６９内に封入される蓄熱材５６と、を含んでいる。
【００５１】
容器６９は、蓄熱材５６の体積に応じて変形する柔軟性と、蓄熱材５６によって腐食されない性質を有している。
【００５２】
蓄熱材５６は、融点において固体から液体に相変化する際に吸熱し、液体から固体に相変化する際に放熱する物質（ＰＣＭ；Phase Change Material）、例えば酢酸ナトリウム水和物、硫酸ナトリウム水和物、パラフィン等を含む。蓄熱材５６は、相変化蓄熱材または潜熱蓄熱材とも称されている。蓄熱材５６は、発核剤（過冷却防止剤）によって凝固開始温度を調整されている。そして、蓄熱材収容体５７は、圧縮機４１が運転されている最中、蓄熱材５６に熱を蓄える一方、圧縮機４１が停止して凝固開始温度まで蓄熱材５６の温度が低下すると蓄熱材５６から放熱してケース５５を温め、放熱の続く限り圧縮機４１の再始動を支援する。
【００５３】
保形枠体６３は、ケース５５の側面に倣って円弧状に拡がっている。保形枠体６３は、蓄熱材収容体５７のうちケース５５に固定される側面７５の大部分に重なることなく、ケース５５に沿って弧状に延びる２つの辺部６１、６２を引っ掛けて保持し、ケース５５の反対側に配置される側面７６を覆っている。保形枠体６３は、ケース５５の外周を全周に渡って囲わないことによって、アキュムレータ６６や吸込管６７との干渉を避けている。保形枠体６３は、半円弧より大きく延びていることが好ましい。
【００５４】
保形枠体６３は、蓄熱材収容体５７を保持する一対のフック部７７を備えている。蓄熱材収容体５７は、保形枠体６３のフック部７７に引っ掛けられる一対のフック部７８を備えている。フック部７７、７８は互いに引っ掛かりあって蓄熱材収容体５７をケース５５の長手方向へ張るようにして保持している。これら一対のフック部７７は、第一保形枠７１および第二保形枠７２のそれぞれに設けられている。換言すれば、第一保形枠７１と蓄熱材収容体５７、および第二保形枠７２と蓄熱材収容体５７のそれぞれは、相互に嵌め合わされるフック部７７、７８を備えている。第一保形枠７１および第二保形枠７２側のフック部７７は、ケース５５から離れるように突出し、蓄熱材収容体５７側のフック部７８は、フック部７７の形状に応じてケース５５へ向かって突出している。
【００５５】
連結部７３は、円弧板状に拡がって蓄熱材収容体５７の側面７６の大部分を覆っている。連結部７３は、蓄熱材収容体５７から遠ざかるほど広がるテーパ形状の側面対７９を有する一対の凹部８１を備えている。一対の凹部８１は、第一保形枠７１および第二保形枠７２のそれぞれに隣接して設けられている。
【００５６】
第一保形枠７１は、円弧状の保形枠体６３の一方の端部を担い、保形枠体６３と同じく円弧状に延びている。第一保形枠７１は、蓄熱材収容体５７を保持するフック部７７と、蓄熱材収容体５７から遠ざかるほど広がるテーパ形状の側面対８２を有して凹部８１に楔状に嵌め込まれる凸部８３と、を備えている。
【００５７】
フック部７７は、第一保形枠７１の内周側に配置されている。凸部８３は、第一保形枠７１の外周側に配置されている。凸部８３は、実質的に連結部７３と同じ厚みを有している。フック部７７と凸部８３との間には、蓄熱材収容体５７を配置する隙間が隔てられている。
【００５８】
テーパ形状の側面対７９を有する凹部８１とテーパ形状の側面対８２を有する凸部８３とを嵌め合わせると、ケース５５から連結部７３が離れる方向へ押されることによって、保形枠体６３は強固に一体化されることになる。保形枠体６３は、蓄熱材５６の相変化を通じて蓄熱材収容体５７が膨張したり縮小したりするところ、蓄熱材収容体５７が膨張することによって保形枠体６３に作用する力を利用して強固に一体化される。
【００５９】
連結部７３の凹部８１の底部には、拡張溝部８５が設けられている。拡張溝部８５は、凹部８１をＴ字状に拡張している。
【００６０】
第一保形枠７１および第二保形枠７２の凸部８３の頂部には、拡張溝部８５に嵌め込まれる拡張部８６が設けられている。拡張部８６は、拡張溝部８５に応じて凸部８３をＴ字状に拡張している。
【００６１】
拡張溝部８５および拡張部８６は、連結部７３の凹部８１に第一保形枠７１および第二保形枠７２の凸部８３のそれぞれを嵌め込むことによって一括して嵌まり合う。
【００６２】
テーパ形状の側面対７９を有する凹部８１とテーパ形状の側面対８２を有する凸部８３とは、第一保形枠７１、第二保形枠７２、および連結部７３がケース５５の径方向へ分離することを阻止して一体化している。拡張溝部８５および拡張部８６は、第一保形枠７１、第二保形枠７２、および連結部７３がケース５５の中心線に平行な方向へ分離することを阻止して一体化している。
【００６３】
次に、実施形態に係る保形枠体６３の他の例を説明する。なお、保形枠体６３Ａにおいて、保形枠体６３と同じ構成には同一の符号を付し、重複する説明は省略する。
【００６４】
図１４は、本発明の実施形態に係る空気調和機の保形枠体の他の例を概略的に示す斜視図である。
【００６５】
図１４に示すように、本実施形態に係る空気調和機１の保形枠体６３Ａは、第一保形枠７１および第二保形枠７２に設けられて、ケース５５の半周より長く延びる延長部８７を備えている。延長部８７は、第一保形枠７１および第二保形枠７２の少なくとも一方にあれば良い。また、延長部８７は、第一保形枠７１または第二保形枠７１の少なくともいずれか一方の端部にあれば良い。
【００６６】
本実施形態に係る空気調和機１は、蓄熱材収容体５７のうち圧縮機４１のケース５５に沿って弧状に延びる２つの辺部６１、６２のそれぞれを保持してケース５５の形状に合わせて蓄熱材収容体５７の形状を保つ保形枠体６３を備えることによって、蓄熱材収容体５７の撓み、歪み、反りなどの変形を抑えてケース５５と蓄熱材収容体５７との密着を保って熱伝導性を高める。
【００６７】
また、本実施形態に係る空気調和機１は、蓄熱材収容体５７を圧縮機４１のケース５５に固定する固定部５８を有するため、ケース５５に対する蓄熱材収容体５７の装着作業が容易であって、蓄熱材収容体５７を圧縮機４１に取り付ける際に蓄熱材収容体５７が脱落することがない。
【００６８】
さらに、本実施形態に係る空気調和機１は、蓄熱材収容体５７よりも高い剛性を有する保形枠体６３によって、蓄熱材収容体５７の撓み、歪み、反りなどの変形を抑えてケース５５と蓄熱材収容体５７との密着をより確実に保って熱伝導性を高める。
【００６９】
さらにまた、本実施形態に係る空気調和機１は、第一保形枠７１、第二保形枠７２、および連結部７３からなる保形枠体６３を備えることによって、蓄熱材収容体５７を保形枠体６３に納めやすい。
【００７０】
また、本実施形態に係る空気調和機１は、テーパ形状の側面対７９を有する凹部８１とテーパ形状の側面対８２を有する凸部８３とを備え、蓄熱材収容体５７の体積変化によって保形枠体６３を強固に一体化して蓄熱材収容体５７の保形に資することができる。
【００７１】
さらに、本実施形態に係る空気調和機１は、拡張溝部８５および拡張部８６を備えることによって、ケース５５の中心線に平行な方向における保形枠体６３の一体化を強固にして、蓄熱材収容体５７の保形に資することができる。
【００７２】
さらにまた、本実施形態に係る空気調和機１は、ケース５５の周囲に延長部８７を延ばすことによって、ケース５５に保形枠体６３を確実に保持して蓄熱材収容体５７の脱落を防止できる。
【００７３】
したがって、本実施形態に空気調和機１によれば、蓄熱材収容体５７を圧縮機４１に取り付ける際に蓄熱材収容体５７が脱落することなく、しかも蓄熱材収容体５７を圧縮機４１の側面に宛がって形状を保ち、蓄熱材５６の確実な吸熱と放熱とを可能にする。
【００７４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７５】
１  空気調和機
２  室内機
３  室外機
５  リモートコントローラ
１１  室内熱交換器
１２  室内ファン
１３  モータ
１４  室内ファン駆動部
１５  ルーバ
１６  モータ
１７  ルーバ駆動部
２２  室内温度センサ
２３  受光部
２６  音声発生部
２７  スピーカ
２８  ＥＥＰＲＯＭ
２９  ＲＯＭ
３１  ＲＡＭ
３２  室内制御部
４１  圧縮機
４２  四方弁
４３  室外熱交換器
４５  膨張弁
４６  室外ファン
４７  室外制御部
３３  検知器
５２  信号線
５５  ケース
５６  蓄熱材
５７  蓄熱材収容体
５８  固定部
６１、６２  辺部
６３、６３Ａ  保形枠体
６５  圧縮機本体
６６  アキュムレータ
６７  吸込管
６８  ケース
６９  容器
７１  第一保形枠
７２  第二保形枠
７３  連結部
７５  側面
７６  側面
７７、７８  フック部
７９  側面対
８１  凹部
８２  側面対
８３  凸部
８５  拡張溝部
８６  拡張部
８７  延長部
【図１】
2016048122.tif 000003
【図２】
2016048122.tif 000004
【図３】
2016048122.tif 000005
【図４】
2016048122.tif 000006
【図５】
2016048122.tif 000007
【図６】
2016048122.tif 000008
【図７】
2016048122.tif 000009
【図８】
2016048122.tif 000010
【図９】
2016048122.tif 000011
【図１０】
2016048122.tif 000012
【図１１】
2016048122.tif 000013
【図１２】
2016048122.tif 000014
【図１３】
2016048122.tif 000015
【図１４】
2016048122.tif 000016